(57)【要約】【課題】レンズ鏡筒の簡素化、小型化、低コスト化等を図る。【解決手段】光軸方向Ｌに軸線をもつ筒状貫通部１１を画定するベース１０、レンズＧを保持すると共に筒状貫通部に嵌合されるレンズ枠２０、レンズ枠をベースに固定する固定部材３０を備え、レンズ枠２０は、筒状貫通部１１に対して前方から所定位置まで挿入されたときにベース１０に当接する当接部２３を有し、固定部材３０は、レンズ枠の前面２２を押圧する押圧部３１と、押圧部からレンズ枠の外壁に沿って光軸方向の後方に伸長しその先端に掛止爪３２ａをもつ複数の掛止片３２を有し、ベース１０は、光軸方向の前方から掛止爪を挿入して掛止させるべく筒状貫通部に形成された挿入溝１３及び被掛止部１４を有する。これによれば、構造の簡素化、部品点数の削減等を達成して、嵌合又は挿入という簡単な取り付け作業だけでレンズ鏡筒の組み付け又は分解を行うことができる。【選択図】図１
2007298591.tif 000002
【特許請求の範囲】
【請求項１】
光軸方向に軸線をもつ筒状貫通部を画定するベース、レンズを保持すると共に前記筒状貫通部に嵌合されるレンズ枠、前記レンズ枠を前記ベースに固定する固定部材を備え、
前記レンズ枠は、前記筒状貫通部に対して前方から所定位置まで挿入されたときに前記ベースに当接する当接部を有し、
前記固定部材は、前記レンズ枠の前面を押圧する押圧部と、前記押圧部から前記レンズ枠の外壁に沿って光軸方向の後方に伸長しその先端に掛止爪をもつ複数の掛止片を有し、
前記ベースは、光軸方向の前方から前記掛止爪を挿入して掛止させるべく前記筒状貫通部に隣接して形成された被掛止部を有する、
ことを特徴とするレンズ鏡筒。
【請求項２】
前記固定部材は、弾性変形可能な金属材料により形成されている、
ことを特徴とする請求項１記載のレンズ鏡筒。
【請求項３】
前記固定部材は、前記押圧部から伸長する前記掛止片の付根領域において、弾性変形可能な傾斜部を有し、
前記レンズ枠は、前記傾斜部の弾性変形を許容する凹部を有する、
ことを特徴する請求項１又は２に記載のレンズ鏡筒。
【請求項４】
前記被掛止部は、前記筒状貫通部から径方向外向きにかつ光軸方向の後方に向けて肉抜きされている、
ことを特徴とする請求項１ないし３いずれかに記載のレンズ鏡筒。
【請求項５】
前記押圧部は、所定の口径を画定する口径板を兼ねるように形成されている、
ことを特徴とする請求項１ないし４いずれかに記載のレンズ鏡筒。
【請求項６】
光軸方向に軸線をもつ筒状貫通部を画定するベース、レンズを保持すると共に前記筒状貫通部に摺動自在に嵌合されるレンズ枠、前記レンズ枠の後端に対して光軸方向へのカム作用を及ぼすカムリング、前記レンズ枠を光軸方向に付勢する付勢部材を備え、
前記付勢部材は、前記レンズ枠の前面を押圧する押圧部と、前記押圧部から前記レンズ枠の外壁に沿って光軸方向の後方に伸長しその先端において前記レンズ枠の光軸方向への移動を許容するべく弾性変形可能な掛止爪をもつ複数の掛止片を有し、
前記ベースは、光軸方向の前方から挿入して掛止させる前記掛止爪の弾性変形を許容するべく前記筒状貫通部に隣接して形成された被掛止部を有する、
ことを特徴とするレンズ鏡筒。
【請求項７】
前記レンズ枠は、前記筒状貫通部に対して前方から所定位置まで挿入されたときに前記ベースに当接する当接部を有し、
前記カムリングは、前記当接部が前記ベースに当接した状態から光軸方向の前方に向けて所定量だけ前記レンズ枠を繰り出すように形成されたカム部を有する、
ことを特徴とする請求項６記載のレンズ鏡筒。
【請求項８】
前記付勢部材は、弾性変形可能な金属材料により形成されている、
ことを特徴とする請求項６又は７に記載のレンズ鏡筒。
【請求項９】
前記付勢部材は、前記押圧部から伸長する前記掛止片の付根領域において、弾性変形可能な傾斜部を有し、
前記レンズ枠は、前記傾斜部の弾性変形を許容する凹部を有する、
ことを特徴する請求項６ないし８いずれかに記載のレンズ鏡筒。
【請求項１０】
前記被掛止部は、前記筒状貫通部から径方向外向きにかつ光軸方向の後方に向けて肉抜きされている、
ことを特徴とする請求項６ないし９いずれかに記載のレンズ鏡筒。
【請求項１１】
前記押圧部は、所定の口径を画定する口径板を兼ねるように形成されている、
ことを特徴とする請求項６ないし１０いずれかに記載のレンズ鏡筒。
【発明の詳細な説明】
【技術分野】
【０００１】
本発明は、レンズを所定位置に保持又はレンズを光軸方向に移動可能に保持するレンズ鏡筒に関し、特に、携帯電話機、携帯型パーソナルコンピュータ、携帯型音楽プレーヤ等の携帯情報端末装置に搭載されるモバイルカメラ、監視カメラ、車載カメラ等に適用されるレンズ鏡筒に関する。
【背景技術】
【０００２】
携帯電話機等に搭載される従来のレンズ鏡筒（あるいはカメラ本体）としては、基板と、基板に固定された撮像素子の前方に設けたレンズ部と、レンズ部及び撮像素子の周りを囲むように形成されると共に基板に対して連結されるカバー部材と、筐体と基板の間に配置された弾性部材を備え、弾性部材を圧縮するようにして基板に連結されたカバー部材を押し込み、カバー部材の一部を筐体の係止部に係合させて、レンズ部及び撮像素子を筐体に取り付けるようにしたものが知られている（例えば、特許文献１参照）。
しかしながら、このレンズ鏡筒においては、レンズ部が撮像素子に直接接合されているため、レンズと撮像素子の間に所定の間隔を設けることができない。また、組み付け後において、レンズ部を分解するには、カバー部材と基板の係合を解除する必要があり、撮像素子を保持する基板の変形あるいは撮像素子の破損等を招く虞がある。
【０００３】
また、他のレンズ鏡筒としては、レンズを保持したレンズ枠を光軸方向に移動自在に支持するべく、レンズ枠を光軸方向にガイドするガイドシャフト、レンズ枠を光軸方向の一方向に向けて付勢するコイルスプリング等を備えたものが知られている（例えば、特許文献２参照）。
しかしながら、このレンズ鏡筒においては、レンズ枠を光軸方向に付勢するためにコイルスプリングを採用しているため、専用の配置空間が必要になり、又、コイルスプリングを組み付けるための工数も必要になり、コストの増加を招く。
【０００４】
【特許文献１】特開２００４−１８０２２３号公報
【特許文献２】特開２０００−８１５５８号公報
【発明の開示】
【発明が解決しようとする課題】
【０００５】
本発明は、上記従来技術の事情に鑑みてなされたものであり、その目的とするところは、部品点数の削減、構造の簡素化、小型化、低コスト化等を図りつつ、組み付け又は分解を簡単に行うことができ、特に携帯電話機、携帯型パーソナルコンピュータ、携帯型音楽プレーヤ等のモバイルカメラに適したレンズ鏡筒を提供することにある。
【課題を解決するための手段】
【０００６】
本発明の第１の観点に係るレンズ鏡筒は、光軸方向に軸線をもつ筒状貫通部を画定するベース、レンズを保持すると共に筒状貫通部に嵌合されるレンズ枠、レンズ枠をベースに固定する固定部材を備え、上記レンズ枠は、筒状貫通部に対して前方から所定位置まで挿入されたときにベースに当接する当接部を有し、上記固定部材は、レンズ枠の前面を押圧する押圧部と、押圧部からレンズ枠の外壁に沿って光軸方向の後方に伸長しその先端に掛止爪をもつ複数の掛止片を有し、上記ベースは、光軸方向の前方から掛止爪を挿入して掛止させるべく筒状貫通部に隣接して形成された被掛止部を有する、ことを特徴としている。
この構成によれば、レンズ枠を光軸方向の前方から筒状貫通部に嵌合させて、その当接部をベースに当接させ、その前方から固定部材を近づけて、その掛止片及び掛止爪を光軸方向に垂直な径方向内向きに若干撓ませつつレンズ枠の外壁に沿うように筒状貫通部に挿入し、その掛止爪を被掛止部に掛止する。これにより、レンズを保持したレンズ枠はベースに対して固定した位置に取り付けられる。
このように、構造の簡素化、部品点数の削減等を達成して、嵌合又は挿入という簡単な取り付け作業だけでレンズ鏡筒の組み付けを行うことができる。
【０００７】
上記第１の観点に係るレンズ鏡筒において、固定部材は、弾性変形可能な金属材料により形成されている、構成を採用することができる。
この構成によれば、固定部材を金属材料により形成することにより、掛止片等の板厚を薄くすることができ、又、全体の弾性力を利用して、レンズ枠を堅固に固定することができる。
【０００８】
上記第１の観点に係るレンズ鏡筒において、固定部材は、押圧部から伸長する掛止片の付根領域において弾性変形可能な傾斜部を有し、レンズ枠は、傾斜部の弾性変形を許容する凹部を有する、構成を採用することができる。
この構成によれば、傾斜部がレンズ枠の凹部に臨む位置に位置して、弾性変形した状態で組み付けられることにより、押圧部がレンズ枠を押圧する弾性力による付勢力が高められて、レンズ枠がより確実に所定の位置に固定される。
【０００９】
上記第１の観点に係るレンズ鏡筒において、被掛止部は、筒状貫通部から径方向外向きにかつ光軸方向の後方に向けて肉抜きされている、構成を採用することができる。
この構成によれば、組み付けたレンズ鏡筒を分解する場合は、工具等をベースの後方から近づけて被掛止部に挿入し、掛止状態を解除するように掛止爪を被掛止部から離脱させるだけで、容易に分解することができる。
【００１０】
上記第１の観点に係るレンズ鏡筒において、押圧部は、所定の口径を画定する口径板を兼ねるように形成されている、構成を採用することができる。
この構成によれば、固定部材が口径板を兼ねるため、部品点数をさらに削減でき、構造をより簡素化でき、コストを低減することができる。
【００１１】
本発明の第２の観点に係るレンズ鏡筒は、光軸方向に軸線をもつ筒状貫通部を画定するベース、レンズを保持すると共に筒状貫通部に摺動自在に嵌合されるレンズ枠、レンズ枠の後端に対して光軸方向へのカム作用を及ぼすカムリング、レンズ枠を光軸方向に付勢する付勢部材を備え、上記付勢部材は、レンズ枠の前面を押圧する押圧部と、押圧部からレンズ枠の外壁に沿って光軸方向の後方に伸長しその先端においてレンズ枠の光軸方向への移動を許容するべく弾性変形可能な掛止爪をもつ複数の掛止片を有し、上記ベースは、光軸方向の前方から挿入して掛止させる掛止爪の弾性変形を許容するべく筒状貫通部に隣接して形成された被掛止部を有する、ことを特徴としている。
この構成によれば、レンズ枠を光軸方向の前方から筒状貫通部に摺動自在に嵌合させ、その前方から付勢部材を近づけて、その掛止片及び掛止爪を光軸方向に垂直な径方向内向きに若干撓ませつつレンズ枠の外壁に沿うように筒状貫通部に挿入し、その掛止爪を被掛止部に掛止し、又、カムリングをレンズ枠の後方から取り付けてレンズ枠の後端に係合させる。これにより、レンズを保持したレンズ枠は、カムリングの回動によりベースの筒状貫通部に対して光軸方向に移動自在に取り付けられる。
このように、構造の簡素化、部品点数の削減等を達成して、嵌合又は挿入という簡単な取り付け作業だけでレンズ鏡筒の組み付けを行うことができる。
【００１２】
上記第２の観点に係るレンズ鏡筒構成において、レンズ枠は、筒状貫通部に対して前方から所定位置まで挿入されたときにベースに当接する当接部を有し、カムリングは、当接部がベースに当接した状態から光軸方向の前方に向けて所定量だけレンズ枠を繰り出すように形成されたカム部を有する、構成を採用することができる。
この構成によれば、当接部からベースに当接した状態が最も繰り込んだ沈胴位置に対応し、この沈胴位置からカムリングが回転してそのカム部がレンズ枠にカム作用を及ぼすことにより、レンズ枠は光軸方向の前方に向けて所定量だけ繰り出される。
このように、レンズ枠に当接部を設けたことにより、レンズ枠を筒状貫通部に嵌合させる際には、当接部がベースに当接するまで挿入すればよく、特別な位置決めが不要で組み付けを容易に行うことができる。
【００１３】
上記第２の観点に係るレンズ鏡筒において、付勢部材は、弾性変形可能な金属材料により形成されている、構成を採用することができる。
この構成によれば、付勢部材を金属材料により形成することにより、掛止片等の板厚を薄くすることができ、又、全体の弾性力を利用して、レンズ枠を摺動自在に付勢しつつ確実に組み付けることができる。
【００１４】
上記第２の観点に係るレンズ鏡筒において、付勢部材は、押圧部から伸長する掛止片の付根領域において弾性変形可能な傾斜部を有し、レンズ枠は、傾斜部の弾性変形を許容する凹部を有する、構成を採用することができる。
この構成によれば、傾斜部がレンズ枠の凹部に臨む位置に位置して、弾性変形した状態で組み付けられることにより、押圧部がレンズ枠を押圧する弾性力による付勢力が高められて、掛止爪の弾性変形により光軸方向に移動可能な状態で、レンズ枠が確実に所定の位置に保持される。
【００１５】
上記第２の観点に係るレンズ鏡筒において、被掛止部は、筒状貫通部から径方向外向きにかつ光軸方向の後方に向けて肉抜きされている、構成を採用することができる。
この構成によれば、組み付けたレンズ鏡筒を分解する場合は、工具等をベースの後方から近づけて被掛止部に挿入し、掛止状態を解除するように掛止爪を被掛止部から離脱させるだけで、容易に分解することができる。
【００１６】
上記第２の観点に係るレンズ鏡筒において、押圧部は、所定の口径を画定する口径板を兼ねるように形成されている、構成を採用することができる。
この構成によれば、付勢部材が口径板を兼ねるため、部品点数をさらに削減でき、構造をより簡素化でき、コストを低減することができる。
【発明の効果】
【００１７】
上記構成をなすレンズ鏡筒によれば、部品点数の削減、構造の簡素化、小型化、低コスト化等を達成しつつ、組み付け又は分解を簡単に行うことができるため、特に、携帯電話機、携帯型パーソナルコンピュータ、携帯型音楽プレーヤ等のモバイルカメラに適したレンズ鏡筒を提供することができる。
【発明を実施するための最良の形態】
【００１８】
以下、本発明の最良の実施形態について、添付図面を参照しつつ説明する。
図１ないし図４は、本発明に係るレンズ鏡筒の一実施形態を示すものであり、図１はレンズ鏡筒の分解斜視図、図２はレンズ鏡筒の正面図、図３はレンズ鏡筒の光軸を含む面での断面図、図４はレンズ鏡筒の一部をなすベースの背面図である。
【００１９】
このレンズ鏡筒は、図１ないし図４に示すように、略矩形状をなすベース１０、レンズＧを保持したレンズ枠２０、レンズ枠２０をベース１０に対して固定する固定部材３０等を備えている。そして、ベース１０の後方にＣＣＤ等の撮像素子１００を保持した基板１１０が結合されることにより、カメラユニットが形成されるようになっている。
【００２０】
ベース１０は、図１ないし図４に示すように、光軸方向Ｌに軸線をもつ円筒状の筒状貫通部１１、筒状貫通部１１の前端が開口する平坦な前面１２、筒状貫通部１１の内周面において周方向に等間隔にて形成されて（すなわち、筒状貫通部１１に隣接して形成されて）後述する固定部材３０の掛止片３２を挿入し得る４つの挿入溝１３、挿入溝１３の後方において連続して形成されて後述する固定部材３０の掛止爪３２ａを掛止する４つの被掛止部１４等を備えている。
【００２１】
挿入溝１３は、図１ないし図４に示すように、筒状貫通部１１よりも径方向に大きく（深く）、かつ、光軸方向Ｌにおいて前面１２から途中まで伸長するように（すなわち、筒状貫通部１１の前方領域において）肉抜きされている。そして、この挿入溝１３は、掛止片３２及び掛止爪３２ａがレンズ枠２０の外壁に沿いながら光軸方向Ｌにおいて挿入され又引き抜かれるのを許容するようになっている。
【００２２】
被掛止部１４は、図１ないし図４に示すように、挿入溝１３に連続して形成されると共に、挿入溝１３よりも径方向に大きく（深く）、かつ、光軸方向Ｌにおいての後方に向けて開放するように（すなわち、筒状貫通部１１の後方領域において）肉抜きされている。そして、この被掛止部１４は、掛止片３２の弾性復帰により又は掛止爪３２ａの弾性復帰により、掛止爪３２ａを受け入れて掛止させるようになっている。
ここでは、被掛止部１４が後方に開放するように肉抜きされているため、組み付けたレンズ鏡筒を分解する場合に、細長い工具等をベース１０の後方から近づけて被掛止部１４に挿入し、掛止爪３２ａを被掛止部１４から離脱させるだけで、掛止状態を解除して分解することができる。
【００２３】
レンズ枠２０は、図１及び図３に示すように、レンズＧを内部に保持する円筒部２１、円筒部２１の前方にレンズＧを露出させる開口部２２ａを画定する前面２２、前面２２において円筒部２１から径方向に扇状に突出するように形成されてベース１０の前面１２に当接し得る４つの当接部２３、当接部２３同士の間に形成された切り欠き２４、切り欠き２４に対応する位置に形成された４つの凹部２５等を備えている。
【００２４】
固定部材３０は、金属板等の打ち抜き成型等により形成されて、図１ないし図３に示すように、円板状に形成され中央に所定の口径をなす円孔３１ａを画定する押圧部３１、押圧部３１の外周から光軸方向Ｌの後方に伸長しその先端に掛止爪３２ａ及びその付根領域に傾斜部３２ｂをもつ４つの掛止片３２等を備えている。
【００２５】
押圧部３１は、レンズ枠２０の前面２２に当接してレンズ枠３０を光軸方向Ｌの後方に向けて押付けるように形成されると共に、所定の口径をなす円孔３１ａを画定する口径板として兼用されるようになっている。
４つの掛止片３２は、光軸方向Ｌに垂直な径方向外向きに若干拡がった片持ち梁状に形成されて撓むように弾性変形可能であり、組み付け時において、径方向内向きに若干撓ませてレンズ枠２０の切り欠き２４を通されつつレンズ枠２０の外壁に沿うようにして、ベース１０の挿入溝１３に挿入されるようになっている。
４つの掛止爪３２ａは、挿入溝１３に沿って最奥部まで挿入されたときに、掛止片３２の弾性復帰及び自らの弾性復帰により、ベース１０の被掛止部１４に入り込んで掛止されるようになっている。
４つの傾斜部３２ｂは、組み付けられた状態において、レンズ枠２０の凹部２５に臨む位置において、その弾性変形により、組み付け時のバラツキを吸収すると共に押圧部３１を介してレンズ枠２０を固定するための付勢力を及ぼすようになっている。
【００２６】
ここでは、固定部材３０が弾性変形可能な金属材料により形成されているため、掛止片３２等の板厚を薄くすることができ、又、全体の弾性力を利用して、レンズ枠２０を堅固に固定することができる。
また、固定部材３０の押圧部３１が所定の口径をなす円孔３１ａを画定して口径板を兼ねるように形成されているため、部品点数を削減でき、構造をより簡素化でき、コストを低減することができる。
【００２７】
次に、このレンズ鏡筒の組み付け作業について説明する。
先ず、図１に示すように、ベース１０、レンズＧを保持したレンズ枠２０、固定部材３０を準備する。
そして、円筒部２１を筒状貫通部１１に嵌合させるように、レンズ枠２０を光軸方向Ｌの前方からベース１０に組み込み、その当接部２３が前面１２に当接するまで挿入する。
続いて、固定部材３０を光軸方向Ｌの前方から近づけて、４つの掛止片３２及び掛止爪３２ａを径方向内側に若干撓ませつつ（弾性変形させつつ）レンズ枠２０（円筒部２１）の外壁に沿うようにして対応する挿入溝１３に挿入し、各々の掛止爪３２ａがベース１０の被掛止部１４に対向する位置まで、固定部材３０を光軸方向Ｌの後方に向けて押し込む。
【００２８】
すると、掛止片３２及び掛止爪３２ａの弾性復帰により、掛止爪３２ａが被掛止部１４に入り込んで掛止されると共に、凹部２５に臨む傾斜部３２ｂが弾性変形して付勢力を及ぼし、押圧部３１がレンズ枠２０の前面２２を光軸方向Ｌの後方に向けて押圧することになる。これにより、レンズ枠２０は、ベース１０に対して所望の位置に堅固に固定されることになる。
【００２９】
一方、組み付け後において、レンズ鏡筒を分解する場合は、細長い工具等をベース１０の後方から近づけて被掛止部１４に挿入し、掛止爪３２ａを被掛止部１４から離脱させるように径方向内向きに撓ませて（弾性変形させて）掛止状態を解除する。
その後、固定部材３０を光軸方向Ｌの前方に向けて引き抜き、続いて、レンズ枠２０を筒状貫通部１１から引き抜くことにより、ベース１０、レンズ枠２０、固定部材３０を破損することなく、それぞれに容易に分解することができる。
尚、上記組み付けが完成したレンズ鏡筒に対して、さらに撮像素子１００を備えた基板１１０を準備し、ベース１０の後方に基板１１０を取り付けることにより、カメラユニットが完成する。
【００３０】
上記のように、構造の簡素化、部品点数の削減等を達成して、嵌合又は挿入という簡単な取り付け作業だけで、レンズ鏡筒の組み付けを行うことができ、又、掛止状態の解除及び引き抜きという簡単な取り外し作業だけで、レンズ鏡筒を破損することなく分解することができる。
【００３１】
図５ないし図９は、本発明に係るレンズ鏡筒の他の実施形態を示すものであり、図５はレンズ鏡筒の分解斜視図、図６はレンズ鏡筒の正面図、図７及び図８はレンズ鏡筒の光軸を含む面での断面図、図９はレンズ鏡筒の一部をなすベースの背面図である。
尚、この実施形態において、前述の実施形態と同一の構成については同一の符号を付してその説明を省略する。
【００３２】
このレンズ鏡筒は、図５ないし図９に示すように、略矩形状をなすベース１０´、レンズＧを保持したレンズ枠２０´、レンズ枠２０´をベース１０´に対して光軸方向Ｌに付勢する付勢部材３０´、レンズ枠２０の後端に対して光軸方向Ｌへのカム作用を及ぼすカムリング４０、カムリング４０を回動自在に支持する支持部材５０等を備えている。
そして、カムリング４０及び支持部材５０が組み込まれた状態で、ベース１０´の後方にＣＣＤ等の撮像素子１００を保持した基板１１０が結合されることにより、カメラユニットが形成されるようになっている。
【００３３】
ベース１０´は、図５ないし図９に示すように、円筒状の筒状貫通部１１、前面１２、後述する付勢部材３０´の掛止片３２及び掛止爪３２ａ´を挿入し得る４つの挿入溝１３、挿入溝１３の後方において連続して形成されて後述する付勢部材３０´の掛止爪３２ａ´を掛止すると共に掛止爪３２ａ´の弾性変形を許容する４つの被掛止部１４´、後述するカムリング４０の操作レバー４２を突出させると共にその揺動範囲を規制する規制壁１５ａ，１５ｂを画定する切り欠き１５等を備えている。
【００３４】
被掛止部１４´は、図５ないし図９に示すように、挿入溝１３に連続して形成されると共に、挿入溝１３よりも径方向に大きく（深く）、かつ、光軸方向Ｌにおいての後方に向けて開放するように（すなわち、筒状貫通部１１の後方領域において）肉抜きされている。  そして、被掛止部１４´は、掛止片３２又は掛止爪３２ａ´の弾性復帰により掛止爪３２ａ´を受け入れて掛止させると共に、レンズ枠２０´の光軸方向Ｌへの移動を許容するように掛止爪３２ａ´に弾性変形させ得る傾斜部１４ａ´を画定している。
ここでは、前述実施形態と同様に、被掛止部１４´が後方に開放するように肉抜きされているため、組み付けたレンズ鏡筒を分解する場合に、細長い工具等をベース１０´の後方から近づけて被掛止部１４´に挿入し、掛止爪３２ａ´を被掛止部１４´（の傾斜部１４ａ´）から離脱させるだけで、掛止状態を解除して分解することができる。
【００３５】
レンズ枠２０´は、図５、図７、図８に示すように、レンズＧを内部に保持する円筒部２１、前面２２、４つの当接部２３、当接部２３同士の間に形成された切り欠き２４、切り欠き２４に対応する位置に形成された４つの凹部２５、円筒部２１の後端において周方向に等間隔で設けられると共に後方に突出して形成された３つのフォロワ２６等を備えている。
３つのフォロワ２６は、後述するカムリング４０の３つのカム面４１にそれぞれ係合して光軸方向Ｌへのカム作用を受けるものである。
【００３６】
付勢部材３０´は、金属板等の打ち抜き成型等により形成されて、図５ないし図８に示すように、円孔３１ａを画定する押圧部３１、押圧部３１の外周から光軸方向Ｌの後方に伸長しその先端に掛止爪３２ａ´及びその付根領域に傾斜部３２ｂをもつ４つの掛止片３２等を備えている。
４つの掛止爪３２ａ´は、挿入溝１３に沿って最奥部まで挿入されたときに、掛止片３２の弾性復帰及び自らの弾性復帰により、図７に示すように、ベース１０´の被掛止部１４´に入り込んで傾斜部１４ａ´に掛止されると共に、図８に示すように、レンズ枠２０´が光軸方向Ｌの前方に向けて繰り出すのに伴って、傾斜部１４ａ´に沿って弾性変形するようになっている。すなわち、掛止爪３２ａ´は、レンズ枠２０´を光軸方向Ｌの後方に向けて付勢すると共に、レンズ枠２０´の光軸方向Ｌ前方への移動を許容するべく弾性変形可能となっている。
４つの傾斜部３２ｂは、組み付けられた状態において、前述同様に、レンズ枠２０の凹部２５に臨む位置において、その弾性変形により、組み付け時のバラツキを吸収すると共に押圧部３１を介してレンズ枠２０を保持するための付勢力を及ぼすようになっている。
【００３７】
ここでは、付勢部材３０´が弾性変形可能な金属材料により形成されているため、掛止片３２等の板厚を薄くすることができ、又、全体の弾性力を利用して、レンズ枠２０´を光軸方向Ｌに確実に付勢することができる。
また、付勢部材３０´の押圧部３１が所定の口径をなす円孔３１ａを画定して口径板を兼ねるように形成されているため、部品点数を削減でき、構造をより簡素化でき、コストを低減することができる。
【００３８】
カムリング４０は、図５、図７、図８に示すように、環状に形成されると共に、その前面においてカム部として３つのカム面４１、外周から径方向に突出すると共に光軸方向Ｌに伸長する操作レバー４２等を備えている。
そして、カムリング４０は、ベース１０´の後方から筒状貫通部１１内に回動自在に嵌め込まれると共に操作レバー４２が切り欠き１５内に位置付けられて、後述する支持部材５０に光軸方向Ｌ（スラスト方向）において抜け落ちないように保持されている。
【００３９】
３つのカム面４１は、それぞれレンズ枠２０´の３つのフォロワ２６を受けて光軸方向Ｌにカム作用を及ぼすものであり、レンズ枠２０´を図７に示す沈胴位置（通常撮影位置）と図８に示す繰り出し位置（マクロ撮影位置）の間で移動させるように、レンズ枠２０´に対して光軸方向Ｌにカム作用を及ぼすようになっている。
操作レバー４２は、レンズ枠２０´が沈胴位置にあるとき、規制壁１５ａに当接して停止し、レンズ枠２０´が繰り出し位置にあるとき、規制壁１５ｂに当接して停止するようになっている。
このように、カムリング４０は、ベース１０´の後方から組み込み又は離脱することができるため、組み付けを容易に行うことができ、構造をより簡素化することができる。
【００４０】
支持部材５０は、図５、図７、図８に示すように、略矩形の平板状に形成されると共に、その中央に円孔５１ａを画定すると共に光軸方向Ｌの前方に向けて突出するリング部５１を備えている。
そして、支持部材５０は、カムリング４０が組み込まれた状態で、リング部５１がカムリング４０の後端面に接触するようにベース１０´に結合されて、カムリング４０を光軸方向Ｌにおいて支持するようになっている。
【００４１】
次に、このレンズ鏡筒の組み付け作業について説明する。
先ず、図５に示すように、ベース１０´、レンズＧを保持したレンズ枠２０´、付勢部材３０´、カムリング４０、支持部材５０を準備する。
そして、円筒部２１を筒状貫通部１１に嵌合させるように、レンズ枠２０´を光軸方向Ｌの前方からベース１０´に組み込み、その当接部２３が前面１２に当接するまで挿入する。
続いて、付勢部材３０´を光軸方向Ｌの前方から近づけて、４つの掛止片３２及び掛止爪３２ａ´を径方向内側に若干撓ませつつ（弾性変形させつつ）レンズ枠２０´（円筒部２１）の外壁に沿うようにして対応する挿入溝１３に挿入し、各々の掛止爪３２ａ´がベース１０´の被掛止部１４´に対向する位置まで、付勢部材３０´を光軸方向Ｌの後方に向けて押し込む。
【００４２】
すると、掛止片３２及び掛止爪３２ａ´の弾性復帰により、掛止爪３２ａ´が被掛止部１４´に入り込んで傾斜部１４ａ´に掛止されると共に凹部２５に臨む傾斜部３２ｂが弾性変形して付勢力を及ぼし、押圧部３１がレンズ枠２０´の前面２２を光軸方向Ｌの後方に向けて押圧することになる。これにより、レンズ枠２０´は、ベース１０´に対して光軸方向Ｌの後方に向けて付勢された状態で保持されることになる。
【００４３】
続いて、カムリング４０をベース１０´の後方から近づけて、筒状貫通部１１内に回動自在に嵌め込むと共に、その操作レバー４２を切り欠き１５内に配置し、さらに、その外側（後方）から支持部材５０を近づけて、そのリング部５１をカムリング４０の後端面に当接させつつ、支持部材５０をベース１０´に固定する。
【００４４】
一方、組み付け後において、レンズ鏡筒を分解する場合は、支持部材５０及びカムリング４０を取り外した後に、細長い工具等をベース１０´の後方から近づけて被掛止部１４´に挿入し、掛止爪３２ａ´を被掛止部１４´（傾斜部１４ａ´）から離脱させるように径方向内向きに撓ませて（弾性変形させて）掛止状態を解除する。
その後、付勢部材３０´を光軸方向Ｌの前方に向けて引き抜き、続いて、レンズ枠２０´を筒状貫通部１１から引き抜くことにより、ベース１０´、レンズ枠２０´、付勢部材３０´を破損することなく、それぞれに容易に分解することができる。
尚、上記組み付けが完成したレンズ鏡筒に対して、さらに撮像素子１００を備えた基板１１０を準備し、この基板１１０をベース１０´（支持部材５０）の後方に取り付けることにより、カメラユニットが完成する。
【００４５】
上記のように、構造の簡素化、部品点数の削減等を達成して、嵌合又は挿入という簡単な取り付け作業だけで、レンズ鏡筒の組み付けを行うことができ、又、掛止状態の解除及び引き抜きという簡単な取り外し作業だけで、レンズ鏡筒を破損することなく分解することができる。
【００４６】
上記実施形態においては、固定部材３０又は付勢部材３０´として、金属材料により形成されたものを示したが、これに限定されるものではなく、掛止片３２及び掛止爪３２ａ，３２ａ´並びに傾斜部３２ｂの弾性変形を確保できるものであれば、樹脂材料あるいはその他の材料により形成されてもよい。
上記実施形態においては、固定部材３０及び付勢部材３０´が口径板を兼ねる場合を示したが、これに限定されるものではなく、口径板としてのみ機能する部材を別個に設けてもよい。
【００４７】
上記実施形態においては、レンズ枠２０´に当接部２３を一体的に設けた場合を示したが、これに限定されるものではなく、当接部２３を廃止して、例えば、付勢部材３０´を予めベース１０´に取り付けた状態で、ベース１０´の後方から、レンズ枠２０´、カムリング４０、支持部材５０を順次に組み付けるようにしてもよい。
【００４８】
上記実施形態においては、ベース１０，１０´の筒状貫通部１１に隣接して挿入溝１３を設けた場合を示したが、これに限定されるものではなく、レンズ枠２０，２０´の円筒部２１に挿入溝に相当するものを設けてもよく、又、特にレンズ枠２０をベース１０に固定する場合は、挿入溝１３を設けずに円筒部２１と筒状貫通部１１の間に掛止片３２が通るように若干の隙間を設けてもよい。
上記実施形態においては、カムリング４０が手動操作により回動させられる場合を示したが、カムリングが電動により回動させられる構成において、本発明を適用してもよい。
【産業上の利用可能性】
【００４９】
以上述べたように、本発明のレンズ鏡筒は、部品点数の削減、構造の簡素化、小型化、低コスト化等を達成しつつ、組み付け又は分解を簡単に行うことができるため、特に、携帯電話機、携帯型パーソナルコンピュータ、携帯型音楽プレーヤ等のモバイルカメラに適用できるのは勿論のこと、監視カメラ、車載カメラ、あるいは、その他の小型化等が要求されないレンズ光学系にも有用である。
【図面の簡単な説明】
【００５０】
【図１】本発明に係るレンズ鏡筒の一実施形態を示す分解斜視図である。
【図２】図１に示すレンズ鏡筒の正面図である。
【図３】図１に示すレンズ鏡筒の断面図である。
【図４】図１に示すレンズ鏡筒の一部をなすベースの背面図である。
【図５】本発明に係るレンズ鏡筒の他の実施形態を示す分解斜視図である。
【図６】図５に示すレンズ鏡筒の正面図である。
【図７】図５に示すレンズ鏡筒の断面図である。
【図８】図５に示すレンズ鏡筒の断面図である。
【図９】図５に示すレンズ鏡筒の一部をなすベースの背面図である。
【符号の説明】
【００５１】
Ｌ  光軸方向
Ｇ  レンズ
１０，１０´  ベース
１１  筒状貫通部
１２  前面
１３  挿入溝
１４，１４´  被掛止部
１４ａ´  傾斜部
１５  切り欠き
１５ａ，１５ｂ  規制壁
２０，２０´  レンズ枠
２１  円筒部
２２  前面
２２ａ  開口部
２３  当接部
２４  切り欠き
２５  凹部
２６  フォロワ
３０  固定部材
３０´  付勢部材
３１  押圧部（口径板）
３１ａ  円孔
３２  掛止片
３２ａ，３２ａ´  掛止爪
３２ｂ  傾斜部
４０  カムリング
４１  カム面（カム部）
４２  操作レバー
５０  支持部材
５１  リング部
５１ａ  円孔
１００  撮像素子
１１０  基板
【図１】
2007298591.tif 000003
【図２】
2007298591.tif 000004
【図３】
2007298591.tif 000005
【図４】
2007298591.tif 000006
【図５】
2007298591.tif 000007
【図６】
2007298591.tif 000008
【図７】
2007298591.tif 000009
【図８】
2007298591.tif 000010
【図９】
2007298591.tif 000011